(57)【要約】  ネットワーク側のアイドル状態シグナリング低減（ＩＳＲ）制御機能が提示される。ネットワーク側のＩＳＲ制御機能は、様々な条件下でネットワーク側のＩＳＲ処理をサポートする。ネットワーク側のＩＳＲ処理は、様々な条件下において、ネットワーク・ノードでユーザ装置（ＵＥ）のＩＳＲステータスをサポートし、ネットワーク・ノードでＵＥのＩＳＲステータスの変更を制御することによって提供することができる。ネットワーク・ノードにおけるＵＥのＩＳＲステータスの変更の制御は、ＵＥに関連する条件が検出されたときに、ネットワーク・ノードでＵＥのＩＳＲステータスの状態を現在の状態に維持することを含むことができる。条件は、ＵＥのコンテキストの非アクティブ化、ＵＥのコンテキストの変更、またはＵＥのアクセス・モードの切替えなどとすることができる。
2014522149.tif 000002
【特許請求の範囲】
【請求項１】
プロセッサおよび前記プロセッサに通信するように接続されたメモリを備え、
前記プロセッサは、ユーザ装置（ＵＥ）に関連する条件が検出されたときに、ネットワーク・ノードにおける前記ＵＥのアイドル状態シグナリング低減（ＩＳＲ）ステータスをアクティブ状態に維持するように構成されている、装置。
【請求項２】
前記条件は、前記ＵＥのコンテキストの非アクティブ化、前記ＵＥのコンテキストの変更、および前記ＵＥのアクセス・モードの切替えのうちの１つを含む、請求項１に記載の装置。
【請求項３】
前記ネットワーク・ノードは、サービング汎用パケット無線サービス（ＧＰＲＳ）サポート・ノード（ＳＧＳＮ）であり、前記条件は、前記ＵＥのコンテキストの非アクティブ化を含み、
前記プロセッサは、
前記ＵＥの前記コンテキストを非アクティブ化する前記ＵＥの要求を受信し、
セッション削除要求メッセージに「ＩＳＲ  Ｄｅａｃｔｉｖａｔｉｏｎ」パラメータを含まずに、前記セッション削除要求メッセージを生成するように構成されている、請求項１に記載の装置。
【請求項４】
前記プロセッサは、
サービング・ゲートウェイ（ＳＧＷ）に向かって前記セッション削除要求メッセージを伝播し、前記ＳＧＷからセッション削除応答メッセージを受信し、
前記ＵＥの前記コンテキストを非アクティブ化する前記ＵＥの前記要求に対する応答を生成し、前記ＵＥに向かって前記応答を伝播するように構成されている、請求項３に記載の装置。
【請求項５】
前記ネットワーク・ノードは、サービング・ゲートウェイ（ＳＧＷ）であり、前記条件は、前記ＵＥのコンテキストの非アクティブ化を含み、前記プロセッサは、
サービング汎用パケット無線サービス（ＧＰＲＳ）サポート・ノード（ＳＧＳＮ）からセッション削除要求メッセージを受信し、
前記セッション削除要求メッセージが「ＩＳＲ  Ｄｅａｃｔｉｖａｔｉｏｎ」パラメータを含んでいないという決定に応答して、前記ネットワーク・ノードで前記ＵＥの前記ＩＳＲステータスを前記アクティブ状態に維持するように構成されている、請求項１に記載の装置。
【請求項６】
前記プロセッサは、
前記ＳＧＳＮにセッション削除応答メッセージを伝播し、
パケット・データ・ネットワーク（ＰＤＮ）ゲートウェイ（ＰＧＷ）に向かって前記セッション削除要求メッセージを伝播するように構成されている、請求項５に記載の装置。
【請求項７】
前記ネットワーク・ノードは、サービング汎用パケット無線サービス（ＧＰＲＳ）サポート・ノード（ＳＧＳＮ）またはモビリティ管理エンティティ（ＭＭＥ）であり、前記条件は、前記ＵＥのコンテキストの変更を含み、前記プロセッサは、
前記ＵＥの前記コンテキストを変更する前記ＵＥの要求を受信し、
ベアラ・リソース・コマンド・メッセージに「ＩＳＲ  Ｄｅａｃｔｉｖａｔｉｏｎ」パラメータを含まずに、前記ベアラ・リソース・コマンド・メッセージを生成するように構成されている、請求項１に記載の装置。
【請求項８】
前記プロセッサは、
サービング・ゲートウェイ（ＳＧＷ）に向かって前記ベアラ・リソース・コマンド・メッセージを伝播し、
前記ＵＥの前記コンテキストを変更する前記ＵＥの前記要求に対する応答を生成し、前記ＵＥに向かって前記応答を伝播するように構成されている、請求項７に記載の装置。
【請求項９】
前記ネットワーク・ノードは、サービング・ゲートウェイ（ＳＧＷ）であり、前記条件は、前記ＵＥのコンテキストの変更を含み、
前記プロセッサは、
サービング汎用パケット無線サービス（ＧＰＲＳ）サポート・ノード（ＳＧＳＮ）またはモビリティ管理エンティティ（ＭＭＥ）からベアラ・リソース・コマンド・メッセージを受信し、
前記ベアラ・リソース・コマンド・メッセージが「ＩＳＲ  Ｄｅａｃｔｉｖａｔｉｏｎ」パラメータを含んでいないという決定に応答して、前記ネットワーク・ノードで前記ＵＥの前記ＩＳＲステータスを前記アクティブ状態に維持するように構成されている、請求項１に記載の装置。
【請求項１０】
プロセッサおよびメモリを使用して、ユーザ装置（ＵＥ）に関連する条件が検出されたときに、ネットワーク・ノードにおいてＵＥのアイドル状態シグナリング低減（ＩＳＲ）ステータスをアクティブ状態に維持する、方法。
【発明の詳細な説明】
【技術分野】
【０００１】
本発明は、一般に、ワイヤレス通信に関し、より詳細には、それに限定されないが、ワイヤレス・ネットワークにおけるアイドル状態シグナリング低減（ＩＳＲ）の制御に関する。
【背景技術】
【０００２】
進化型ユニバーサル・モバイル・テレコミュニケーション・システム（ＵＭＴＳ：Universal Mobile Telecommunications System）地上無線アクセス・ネットワーク（Ｅ−ＵＴＲＡＮ）が、ＵＭＴＳ地上無線アクセス・ネットワーク（ＵＴＲＡＮ）およびグローバル・システム・フォー・モバイル・コミュニケーションズ（ＧＳＭ（登録商標））ＥＤＧＥ無線アクセス・ネットワーク（ＧＥＲＡＮ）など、初期世代のネットワークに対する予定された代替として開発されている。Ｅ−ＵＴＲＡＮの最初の展開は、人口密度の高い大都市圏に焦点を当てることが予想されるため、Ｅ−ＵＴＲＡＮ有効範囲の最初の使用可能度は限定される可能性がある。Ｅ−ＵＴＲＡＮ有効範囲は、このように使用可能度が限定されているため、無線有効範囲を維持するために、ユーザ装置（ＵＥ）に無線アクセス・ネットワーク（ＲＡＮ）の再選択を比較的頻繁に実行させる場合がある（たとえばＥ−ＵＴＲＡＮネットワークとＧＥＲＡＮ／ＵＴＲＡＮネットワークとの間の再選択）。ＵＥによるこの種のＲＡＮ再選択は、トラッキング領域更新（ＴＡＵ：Tracking Area Update）／ルーティング領域更新（ＲＡＵ：Routing Area Update）の手順をトリガーするため、それに関連してネットワーク・シグナリングの負荷が増加する。
【０００３】
アイドル状態シグナリング低減（ＩＳＲ）は、ＵＥがＥ−ＵＴＲＡＮネットワークとＧＥＲＡＮ／ＵＴＲＡＮネットワークとの間で再選択するときに引き起こされるＴＡＵ／ＲＡＵ手順の頻度を減らすために、Ｅ−ＵＴＲＡＮに関連して導入される機能である。ＩＳＲでは、Ｅ−ＵＴＲＡＮネットワークおよびＧＥＲＡＮ／ＵＴＲＡＮネットワークの両方において同時にＵＥからの二重登録を許可することによって、この問題に取り組むため、ＵＥは、アイドル状態にある間に、ＴＡＵまたはＲＡＵの手順を実行することなく、Ｅ−ＵＴＲＡＮネットワークとＧＥＲＡＮ／ＵＴＲＡＮネットワークとの間で再選択することができる。
【発明の概要】
【発明が解決しようとする課題】
【０００４】
従来技術の様々な弱点が、ワイヤレス・ネットワークにおいてユーザ装置（ＵＥ）のアイドル状態シグナリング低減（ＩＳＲ）を制御するための実施形態によって取り組まれる。
【課題を解決するための手段】
【０００５】
一実施形態では、装置は、プロセッサ、およびプロセッサに通信するように接続されたメモリを含み、プロセッサは、ＵＥに関連する条件が検出されたときに、ネットワーク・ノードにおいてＵＥのＩＳＲステータスをアクティブ状態に維持するように構成されている。
【０００６】
一実施形態では、ネットワーク・ノードは、プロセッサ、およびプロセッサに通信するように接続されたメモリを含み、プロセッサは、ＵＥに関連する条件が検出されたときに、ネットワーク・ノードにおいてＵＥのＩＳＲステータスをアクティブ状態に維持するように構成されている。
【０００７】
一実施形態では、コンピュータ可読記憶媒体は、命令を格納し、命令は、コンピュータによって実行された場合、ＵＥに関連する条件が検出されたときに、ネットワーク・ノードにおいてＵＥのＩＳＲステータスをアクティブ状態に維持するステップを含む方法をコンピュータに実行させる。
【０００８】
一実施形態では、方法は、ＵＥに関連する条件が検出されたときに、ネットワーク・ノードにおいてＵＥのＩＳＲステータスをアクティブ状態に維持するステップを含む。
【０００９】
本明細書の教示は、添付図面に関して以下の詳細な説明を考慮することによって容易に理解できるであろう。
【図面の簡単な説明】
【００１０】
【図１】ワイヤレス通信システムを示すハイレベル・ブロック図である。
【図２】ＵＥの最終的なコンテキストを非アクティブ化するための例示的な方法が実行されるときのＵＥのＩＳＲステータスのネットワーク側処理の一実施形態を示す図である。
【図３】ＵＥの最終的でないコンテキストを非アクティブ化するための例示的な方法が実行されるときのＵＥのＩＳＲステータスのネットワーク側処理の一実施形態を示す図である。
【図４】ＵＥのコンテキストを変更するための例示的な方法が実行されるときのＵＥのＩＳＲステータスのネットワーク側処理の一実施形態を示す図である。
【図５】無線アクセス技術間でＵＥを切り替えるための例示的な方法が実行されたときのＵＥのＩＳＲステータスのネットワーク側処理の一実施形態を示す図である。
【図６】ＵＥに関連する条件に応答して、ネットワーク・ノードでＵＥのＩＳＲステータスを処理するための方法の一実施形態を示す図である。
【図７】本明細書に記述した機能を実行する際の使用に適したコンピュータを示すハイレベル・ブロック図である。
【発明を実施するための形態】
【００１１】
理解を助けるために、各図で共通する同一の要素を示すために、可能な場合は、同一の参照番号を使用している。
【００１２】
概して、ネットワーク側のアイドル状態シグナリング低減（ＩＳＲ）処理機能について、本明細書に描写および記述しているが、様々な他の機能も本明細書に提示することができる。
【００１３】
少なくとも一部の実施形態では、ネットワーク側のＩＳＲ制御機能は、様々な条件下でネットワーク側のＩＳＲ処理をサポートする。ネットワーク側のＩＳＲ処理は、様々な条件下において、ネットワーク・ノードでＵＥのＩＳＲステータスをサポートし、ネットワーク・ノードでＵＥのＩＳＲステータスの変更を制御することによって提供することができる。ネットワーク・ノードにおけるＵＥのＩＳＲステータスの変更の制御は、ネットワーク・ノードでＵＥのＩＳＲステータスの状態の変更を防ぐこと（すなわち、ネットワーク・ノードでＵＥのＩＳＲステータスの状態を現在の状態に維持すること）またはネットワーク・ノードでＵＥのＩＳＲステータスの状態の変更を達成すること（すなわち、ネットワーク・ノードでＵＥのＩＳＲステータスの状態を現在の状態から新しい状態に切り替えること）を含むことができる。条件は、コンテキスト非アクティブ化イベント、コンテキスト変更イベント、アクセス・ネットワーク切替えイベントなどを含むことができる。ネットワーク・ノードでのＵＥのＩＳＲステータスの状態は、「ＡＣＴＩＶＡＴＥＤ（アクティブ）」（ネットワーク・ノードでＵＥのＩＳＲ機能がアクティブであることを示す）および「ＤＥＡＣＴＩＶＡＴＥＤ（非アクティブ）」（ネットワーク・ノードでＵＥのＩＳＲ機能がアクティブではないことを示す）を含むことができる。
【００１４】
本明細書には、主に特定のタイプのワイヤレス通信ネットワークを有する通信システムにおけるネットワーク側のＩＳＲ処理をサポートするコンテキストの範囲において描写および記述されているが、ネットワーク側のＩＳＲ処理は、ＩＳＲ（またはＩＳＲのような機能）が使用される任意の適切なタイプのワイヤレス通信ネットワークを有する任意の通信システムでサポートできることに留意されたい。
【００１５】
図１は、ワイヤレス通信システムのハイレベル・ブロック図を示している。
【００１６】
ワイヤレス通信システム１００は、ユーザ装置（ＵＥ）１０２、ＵＭＴＳ地上無線アクセス・ネットワーク（ＵＴＲＡＮ）／グローバル・システム・フォー・モバイル・コミュニケーションズ（ＧＳＭ）ＥＤＧＥ無線アクセス・ネットワーク（ＧＥＲＡＮ）１１２、サービング汎用パケット無線サービス（ＧＰＲＳ）サポート・ノード（ＳＧＳＮ）１１４、ゲートウェイＧＰＲＳサポート・ノード（ＧＧＳＮ）１１６、進化型ＵＴＲＡＮ（Ｅ−ＵＴＲＡＮ）１２２、モビリティ管理エンティティ（ＭＭＥ）１２３、サービング・ゲートウェイ（ＳＧＷ）１２４、パケット・データ・ネットワーク（ＰＤＮ）ゲートウェイ（ＰＧＷ）１２６、およびパケット・データ・ネットワーク（ＰＤＮ）１３０を含む。
【００１７】
ＵＥ１０２は、２つまたは複数のタイプの無線アクセス・ネットワークを介してＰＤＮ１３０にアクセスするように構成されたワイヤレス・デバイスである。図１に示すように、ＵＥ１０２は、ＧＥＲＡＮ／ＵＴＲＡＮ１１２を介して（たとえば、ＧＥＲＡＮの基地局（ＢＴＳ）を介して、ＵＴＲＡＮのノードＢを介してなど。そのようなネットワーク要素は明瞭にするために省略する）およびＥ−ＵＴＲＡＮ１２２を介して（たとえば、ｅＮｏｄｅＢを介して。このネットワーク要素は明瞭にするために省略する）ＰＤＮ１３０にアクセスするように構成されている。たとえば、ＵＥ１０２は、携帯電話、スマートフォン、タブレット・コンピュータ、ラップトップ型コンピュータなどでもよい。
【００１８】
ＧＥＲＡＮ／ＵＴＲＡＮ１１２、ＳＧＳＮ１１４、およびＧＧＳＮ１１６は、ＵＥ１０２とＰＤＮ１３０との間の（複数のパケット・データ・プロトコル（ＰＤＰ）コンテキストをサポートできる）通信路をサポートする。図１に示すように、ＧＥＲＡＮ／ＵＴＲＡＮ１１２は、ＳＧＳＮ１１４に通信するように接続され、ＳＧＳＮ１１４は、ＧＧＳＮ１１６に通信できるように接続され、ＧＧＳＮ１１６は、ＰＤＮ１３０に通信できるように接続される。ＧＥＲＡＮ／ＵＴＲＡＮ１１２、ＳＧＳＮ１１４、およびＧＧＳＮ１１６の典型的な動作は、当業者には理解されるであろう。ＧＥＲＡＮ／ＵＴＲＡＮ１１２のＧＥＲＡＮ部分、ＳＧＳＮ１１４、およびＧＧＳＮ１１６の組合せは、第二世代（２Ｇ）ワイヤレス通信ネットワークを表すものと理解することができる。同様に、ＧＥＲＡＮ／ＵＴＲＡＮ１１２のＵＴＲＡＮ部分、ＳＧＳＮ１１４、およびＧＧＳＮ１１６の組合せは、第３世代（３Ｇ）ワイヤレス通信ネットワークを表すものと理解することができる。言い換えると、ＧＥＲＡＮ／ＵＴＲＡＮ１１２は、ＧＥＲＡＮアクセス・ネットワークを有する２Ｇワイヤレス通信ネットワークまたはＵＴＲＡＮアクセス・ネットワークを有する３Ｇワイヤレス通信ネットワーク（またはそれらの何らかの複合型の組合せ）の可用性を表すものと考えることができる。
【００１９】
Ｅ−ＵＴＲＡＮ１２２、ＭＭＥ１２３、ＳＧＷ１２４、およびＰＧＷ１２６は、ＵＥ１０２とＰＤＮ１３０との間の（複数の進化型パケット・システム（ＥＰＳ：Ｅｖｏｌｖｅｄ  Ｐａｃｋｅｔ  Ｓｙｓｔｅｍ）モビリティ管理（ＥＭＭ）コンテキストをサポートできる）通信路をサポートする。図１に示すように、Ｅ−ＵＴＲＡＮ１２２は、ＳＧＷ１２４に通信するように接続され、ＳＧＷ１２４は、ＰＧＷ１２６に通信するように接続され、ＰＧＷ１２６は、ＰＤＮ１３０に通信するように接続される。さらに、図１に示すように、ＭＭＥ１２３は、Ｅ−ＵＴＲＡＮ１２２およびＳＧＷ１２４に通信するように接続される。Ｅ−ＵＴＲＡＮ１２２、ＭＭＥ１２３、ＳＧＷ１２４、およびＰＧＷ１２６の典型的な動作は、当業者によって理解されるであろう。Ｅ−ＵＴＲＡＮ１２２、ＭＭＥ１２３、ＳＧＷ１２４、およびＰＧＷ１２６の組合せは、第四世代（４Ｇ）ワイヤレス通信ネットワークを表すものと理解することができる。
【００２０】
ワイヤレス通信システム１００は、２Ｇ／３Ｇワイヤレス・ネットワークおよび４Ｇワイヤレス・ネットワークの要素間の通信をサポートする。すなわち、ＳＧＳＮ１１４は、ＭＭＥ１２３およびＳＧＷ１２４の両方に通信するように接続される。
【００２１】
ＰＤＮ１３０は、ＧＧＳＮ１１６およびＰＧＷ１２６を介してアクセス可能な可能性がある任意の適切なタイプのパケット・データ・ネットワークでもよい（たとえば、インターネット、１つまたは複数のプライベート・パケット・ネットワークなど、およびそれらの様々な組合せ）。
【００２２】
ワイヤレス通信システム１００は、ＵＥ１０２（または他のＵＥ）が、ＧＥＲＡＮ／ＵＴＲＡＮ１１２（２Ｇ／３Ｇ無線サービスについて）とＥ−ＵＴＲＡＮ１２２（４Ｇ無線サービスについて）との間で再選択するときに引き起こされるトラッキング領域更新（ＴＡＵ）／ルーティング領域更新（ＲＡＵ）の手順の頻度を減らすために、アイドル状態シグナリング低減（ＩＳＲ）をサポートする。ＩＳＲは、ＧＥＲＡＮ／ＵＴＲＡＮ１１２およびＥ−ＵＴＲＡＮ１２２の両方においてＵＥ１０２による二重登録を許可することによって、この問題に対処するため、ＵＥ１０２は、アイドル状態にある間に、ＴＡＵまたはＲＡＵの手順を実行することなく、ＧＥＲＡＮ／ＵＴＲＡＮ１１２とＥ−ＵＴＲＡＮ１２２との間で再選択することができる。ＩＳＲは、ＵＥ１０２に対して非アクティブ、またはＵＥ１０２に対してアクティブでもよい。ＵＥ１０２のＩＳＲ機能が非アクティブの場合、ＵＥ１０２は、ＳＧＳＮ１１４（ＧＥＲＡＮ／ＵＴＲＡＮ１１２を介してアクセス）およびＭＭＥ１２３（Ｅ−ＵＴＲＡＮ１２２を介してアクセス）のどちらか一方のみで登録される。ＵＥ１０２のＩＳＲ機能がアクティブな場合、ＵＥ１０２は、ＳＧＳＮ１１４およびＭＭＥ１２３の両方で登録され（これらの両方がＳＧＷ１２４との制御接続を有する）、ＵＥ１０２のアクティブなコンテキスト（たとえばＰＤＰコンテキストおよび／またはＥＭＭコンテキスト）は、ＧＥＲＡＮ／ＵＴＲＡＮ１１２およびＥ−ＵＴＲＡＮ１２２の両方にアクセス可能であるため、コンテキストは、ＧＥＲＡＮ／ＵＴＲＡＮ１１２またはＥ−ＵＴＲＡＮ１２２から変更または非アクティブ化することができる。
【００２３】
ワイヤレス通信システム１００は、ＵＥ１０２のＩＳＲステータスのネットワーク側の処理をサポートするように構成されている。
【００２４】
ＵＥ１０２のＩＳＲステータスは、ワイヤレス通信システム１００の１つまたは複数のネットワーク・ノードで維持することができる。一実施形態では、たとえば、ＵＥ１０２のＩＳＲステータスは、ＳＧＳＮ１１４、ＭＭＥ１２３、およびＳＧＷ１２４のそれぞれで維持することができる（たとえば、ＳＧＳＮ１１４、ＭＭＥ１２３、およびＳＧＷ１２４のそれぞれでＵＥ１０２に対して維持されるそれぞれのＩＳＲステータス・パラメータを介して）。
【００２５】
ＵＥ１０２のＩＳＲステータスは、ネットワーク・ノードでＵＥ１０２に関連するＩＳＲステータス・パラメータを使用して、ネットワーク・ノードによってサポートすることができる。ネットワーク・ノードのＵＥ１０２のＩＳＲステータス・パラメータは、ネットワーク・ノードにおいてＵＥ１０２のＩＳＲがアクティブであることを示す第１の値（たとえばＡＣＴＩＶＡＴＥＤの値、またはＵＥ１０２のＩＳＲがアクティブであることを示すのに適した他の値）およびネットワーク・ノードにおいてＵＥ１０２のＩＳＲが非アクティブであることを示す第２の値（たとえばＤＥＡＣＴＩＶＡＴＥＤの値、またはＵＥ１０２のＩＳＲがアクティブでないことを示すのに適した他の値）をサポートすることができる。
【００２６】
一実施形態では、ＵＥ１０２のＩＳＲステータス・パラメータをサポートするネットワーク・ノードは、１つまたは複数の条件に応答して、ＵＥ１０２のＩＳＲステータス・パラメータの値を切り替えるように構成することができる（たとえばＤＥＡＣＴＩＶＡＴＥＤからＡＣＴＩＶＡＴＥＤ、またはＡＣＴＩＶＡＴＥＤからＤＥＡＣＴＩＶＡＴＥＤ）。
【００２７】
たとえば、ＵＥ１０２でＵＥ１０２のＩＳＲ機能がアクティブ化されている場合、ＵＥ１０２のＩＳＲステータス・パラメータは、ネットワーク・ノードでＤＥＡＣＴＩＶＡＴＥＤからＡＣＴＩＶＡＴＥＤに変更することができる。ＵＥ１０２は、ＭＭＥ１２３に接続することができる（また、ホーム加入者サーバ（ＨＳＳ）でＭＭＥ１２３に登録することができる）。次に、ＵＥ１０２はＭＭＥ１２３のトラッキング領域（ＴＡ）から離れて、ＳＧＳＮ１１４にルーティング領域更新（ＲＡＵ）メッセージを送信する。ＳＧＳＮ１１４は、ＭＭＥ１２３にコンテキスト要求（Ｃｏｎｔｅｘｔ  Ｒｅｑｕｅｓｔ）メッセージを転送し、ＭＭＥ１２３からコンテキスト応答（Ｃｏｎｔｅｘｔ  Ｒｅｓｐｏｎｓｅ）（ＩＳＲ機能）メッセージを受信し、ＭＭＥ１２３にコンテキスト肯定応答（Ｃｏｎｔｅｘｔ  Ａｃｋｎｏｗｌｅｄｇｅｍｅｎｔ）メッセージを送信する。ＵＥ１０２は、ＨＳＳでＳＧＳＮ１１４に登録される。ＳＧＳＮ１１４は、ＭＭＥ１２３からのコンテキスト応答メッセージでＩＳＲがサポートする指示を受信するのに応答して、ＤＥＡＣＴＩＶＡＴＥＤからＡＣＴＩＶＡＴＥＤにＵＥ１０２のＩＳＲステータス・パラメータを変更する。ＭＭＥ１２３は、ＳＧＳＮ１１４からのコンテキスト肯定応答メッセージのＩＳＲ  Ａｃｔｉｖａｔｅｄ指示に応答して、ＤＥＡＣＴＩＶＡＴＥＤからＡＣＴＩＶＡＴＥＤにＵＥ１０２のＩＳＲステータス・パラメータを変更する。ＳＧＳＮ１１４は、ＵＥ１０２にＲＡＵ  Ａｃｃｅｐｔメッセージを送信する。ＵＥ１０２は、ＳＧＳＮ１１４からのＲＡＵ  ＡｃｃｅｐｔメッセージのＩＳＲ  Ａｃｔｉｖａｔｅｄ指示に応答して、ＤＥＡＣＴＩＶＡＴＥＤからＡＣＴＩＶＡＴＥＤにそのＩＳＲステータス・パラメータを変更する。
【００２８】
たとえば、（動作Ｉのネットワーク・モードで）ＵＥ１０２が新しいＲＡに移動し、組み合わせられたＲＡ／ロケーション・エリア（ＬＡ）更新を開始した後、ＩＳＲ機能が非アクティブ化されるときに、ＵＥ１０２のＩＳＲステータス・パラメータは、ネットワーク・ノードでＡＣＴＩＶＡＴＥＤからＤＥＡＣＴＩＶＡＴＥＤに変更することができる。ＵＥ１０２は、ＳＧＳＮ１１４にＲＡ／ＬＡ更新を送信する。ＳＧＳＮ１１４は、組み合わせられたＲＡ／ＬＡ更新に応答して、ＡＣＴＩＶＡＴＥＤからＤＥＡＣＴＩＶＡＴＥＤにＵＥ１０２のＩＳＲステータス・パラメータを変更し、ＭＭＥ１２３にコンテキスト要求メッセージを転送し、ＭＭＥ１２３からコンテキスト応答（ＩＳＲ機能）メッセージを受信し、ＭＭＥ１２３にコンテキスト肯定応答メッセージ（ＩＳＲ  Ａｃｔｉｖａｔｅｄ指示なし）を送信し、ＵＥ１０２にＲＡＵ  Ａｃｃｅｐｔメッセージ（ＩＳＲ  Ａｃｔｉｖａｔｅｄ指示なし）を送信する。ＭＭＥ１２３は、ＳＧＳＮ１１４からのコンテキスト肯定応答メッセージに応答して、ＡＣＴＩＶＡＴＥＤからＤＥＡＣＴＩＶＡＴＥＤにＵＥ１０２のＩＳＲステータス・パラメータを変更する。ＵＥ１０２は、ＳＧＳＮ１１４からのＲＡＵ  Ａｃｃｅｐｔメッセージに応答して、ＡＣＴＩＶＡＴＥＤからＤＥＡＣＴＩＶＡＴＥＤにそのＩＳＲステータス・パラメータを変更する。
【００２９】
前述の例は、ＵＥ１０２のＩＳＲステータス・パラメータをサポートするネットワーク・ノードをＵＥ１０２のＩＳＲステータス・パラメータの値を切り替えるように構成できる状況の少数の例にすぎないことに留意されたい。
【００３０】
一実施形態では、ＵＥ１０２のＩＳＲステータス・パラメータをサポートするネットワーク・ノードは、１つまたは複数の条件に応答して、ＩＳＲステータス・パラメータの値を維持するように構成することができる。この実施形態では、条件に応答して、ＩＳＲステータス・パラメータの値を維持することは、条件が検出されたときに、現在の値から新しい値へのＩＳＲステータス・パラメータの変化を防ぐために考慮することができる。
【００３１】
一実施形態では、ＵＥ１０２のＩＳＲステータス・パラメータをサポートするネットワーク・ノードは、条件の検出に応答して、（たとえば、ＵＥ１０２のＩＳＲステータス・パラメータの値をＡＣＴＩＶＡＴＥＤからＤＥＡＣＴＩＶＡＴＥＤに変更するのではなく、ＵＥ１０２のＩＳＲステータス・パラメータの値をＡＣＴＩＶＡＴＥＤとして維持することによって）ＵＥ１０２のＩＳＲステータスをアクティブ状態に維持するように構成されている。検出された条件は、ＵＥ１０２の最後のコンテキストでないＵＥ１０２のコンテキストの非アクティブ化、ＵＥ１０２の最後のコンテキストであるＵＥ１０２のコンテキストの非アクティブ化、ＵＥ１０２のコンテキストの変更、無線アクセス技術間のＵＥ１０２の切替え（たとえばＧＥＲＡＮ／ＵＴＲＡＮ１１２からＥ−ＵＴＲＡＮ１２２、またはＥ−ＵＴＲＡＮ１２２からＧＥＲＡＮ／ＵＴＲＡＮ１１２）を含むことができる。コンテキストは、ＰＤＰコンテキスト（ＧＥＲＡＮ／ＵＴＲＡＮ１１２に関連）および／またはＥＭＭコンテキスト（Ｅ−ＵＴＲＡＮ１２２に関連）などを含むことができる。
【００３２】
そのような条件に応答して、ＵＥ１０２のＩＳＲステータスをアクティブ状態に維持する際のワイヤレス通信システム１００のネットワーク・ノードの動作について、図２〜図５に関して本明細書に描写および記述する。
【００３３】
図２は、ＵＥの最終的なコンテキストを非アクティブ化するための例示的な方法が実行されるときのＵＥのＩＳＲステータスのネットワーク側処理の一実施形態を示す図である。
【００３４】
図２に示すように、方法２００は、ＵＥ１０２および特定のネットワーク・ノード（説明ではＳＧＳＮ１１４、ＭＭＥ１２３およびＳＧＷ１２４）を含む。ＵＥ１０２、ＳＧＳＮ１１４、ＭＭＥ１２３、およびＳＧＷ１２４はそれぞれ、ＵＥ１０２のそれぞれのＩＳＲステータス・パラメータを維持し、ＩＳＲステータス・パラメータの値は、ＵＥ１０２、ＳＧＳＮ１１４、ＭＭＥ１２３、およびＳＧＷ１２４でＵＥ１０２のＩＳＲがアクティブかどうかに関してそれぞれ示している。
【００３５】
図２に示すように、方法２００を開始する前に、ＳＧＳＮ１１４、ＭＭＥ１２３、およびＳＧＷ１２４だけでなくＵＥ１０２で、ＵＥ１０２のＩＳＲはアクティブである。これは、ＵＥ１０２、ＳＧＳＮ１１４、ＭＭＥ１２３、およびＳＧＷ１２４を表すボックスの真下にある「ＩＳＲ  ＡＣＴＩＶＡＴＥＤ」ボックスによってそれぞれ示されている。
【００３６】
図２に示すように、ＵＥ１０２の最終的なコンテキストを非アクティブ化するための方法２００は５つのステップを含む。連続的に実行されるものとして本明細書に主に描写および記述したが、方法２００のステップは、同時かつ／または図２に提示したのとは異なる順序で実行できることに留意されたい。
【００３７】
ステップ２１０で、ＰＤＰコンテキスト非アクティブ化要求（Deactivate PDP Context Request）メッセージが、ＵＥ１０２からＳＧＳＮ１１４に送信される。この場合、ＵＥ１０２は、その最終的なコンテキストの非アクティブ化を要求している。
【００３８】
ステップ２２０で、セッション削除要求（Delete Session Request）メッセージが、ＳＧＳＮ１１４からＳＧＷ１２４に送信される。ＳＧＳＮ１１４は、ＳＧＷ１２４に送信されるセッション削除要求メッセージに「ＩＳＲ  ＤＥＡＣＴＩＶＡＴＩＯＮ」パラメータを含まないため、その結果、ＳＧＷ１２４でＵＥ１０２のＩＳＲはアクティブなままである。
【００３９】
ステップ２３０で、ＳＧＷ１２４は、ＰＧＷ１２６（明瞭にするために省略）にセッション削除要求メッセージを転送する。ステップ２４０で、ＳＧＷ１２４は、ＳＧＳＮ１１４にセッション削除応答（Delete Session Response）メッセージを送信する。ＳＧＷ１２４は、ＧＥＲＡＮ／ＵＴＲＡＮ１１２の最終的なＰＤＰコンテキストの非アクティブ化においてＭＭＥ１２３にベアラ解放要求（Release Bearer Request）メッセージを送信しないため、その結果、ＭＭＥ１２３でＵＥ１０２のＩＳＲはアクティブなままである。
【００４０】
ステップ２５０で、ＳＧＳＮ１１４は、ＵＥ１０２にＰＤＰコンテキスト非アクティブ化の受入れ（Deactivate PDP Context Accept）メッセージを送信する。
【００４１】
方法２００の結果、ＳＧＷ１２４およびＰＧＷ１２６のベアラ・リソースは解放されるが、ＳＧＳＮ１１４およびＭＭＥ１２３のシグナリング・リソースは解放されない。
【００４２】
図２に示すように、方法２００が完了した後、ＵＥ１０２でＵＥ１０２のＩＳＲはアクティブではないが、ＳＧＳＮ１１４、ＭＭＥ１２３、およびＳＧＷ１２４のそれぞれでＵＥ１０２に対してアクティブなままである。これは、ＵＥ１０２に関連する「ＩＳＲ  ＤＥＡＣＴＩＶＡＴＥＤ」ボックスおよびＳＧＳＮ１１４、ＭＭＥ１２３、およびＳＧＷ１２４に関連する「ＩＳＲ  ＡＣＴＩＶＡＴＥＤ」ボックスによってそれぞれ示されている（図２の下部に描写）。
【００４３】
したがって、図２は、ＵＥ１０２のＩＳＲステータスのネットワーク側処理により、ＵＥ１０２の最終的なコンテキストが非アクティブ化されるときに、ネットワーク・ノードにおいてＵＥ１０２のＩＳＲがアクティブ化された状態であることを保証する方法を示している。
【００４４】
図３は、ＵＥの最終的でないコンテキストを非アクティブ化するための例示的な方法が実行されるときのＵＥのＩＳＲステータスのネットワーク側処理の一実施形態を示す図である。
【００４５】
図３は図２と同一である（それぞれ図２の方法２００のステップ２１０、２２０、２３０、２４０、および２５０と同一である図３の方法３００のステップ３１０、３２０、３３０、３４０および３５０を含む）が、少なくとも１つのコンテキストがＵＥ１０２でアクティブなままであるため、ＵＥ１０２でＵＥ１０２のＩＳＲステータスが非アクティブ化されていないという部分が異なる。したがって、図３の方法３００の動作は、図２を参照することでよりよく理解することができる。
【００４６】
図３に示すように、方法３００が完了した後、ＵＥ１０２、ＳＧＳＮ１１４、ＭＭＥ１２３、およびＳＧＷ１２４でＵＥ１０２のＩＳＲはアクティブなままである。これは、ＵＥ１０２、ＳＧＳＮ１１４、ＭＭＥ１２３、およびＳＧＷ１２４に関連する「ＩＳＲ  ＡＣＴＩＶＡＴＥＤ」ボックスによってそれぞれ示されている。
【００４７】
図４は、ＵＥのコンテキストを変更するための例示的な方法が実行されるときのＵＥのＩＳＲステータスのネットワーク側処理の一実施形態を示す図である。
【００４８】
図４に示すように、方法４００は、ＵＥ１０２および特定のネットワーク・ノードを含む。（説明のために、ＳＧＳＮ１１４、ＭＭＥ１２３、およびＳＧＷ１２４）。ＵＥ１０２、ＳＧＳＮ１１４、ＭＭＥ１２３、およびＳＧＷ１２４はそれぞれ、ＵＥ１０２のそれぞれのＩＳＲステータス・パラメータを維持し、ＩＳＲステータス・パラメータの値は、ＵＥ１０２、ＳＧＳＮ１１４、ＭＭＥ１２３、およびＳＧＷ１２４でＵＥ１０２のＩＳＲがアクティブかどうかに関してそれぞれ示している。
【００４９】
図４に示すように、方法４００を開始する前に、ＰＤＰコンテキストがＵＥ１０２に対して確立され、ＰＤＰコンテキストがＵＥ１０２に対して確立された後、ＵＥ１０２のＩＳＲがアクティブ化される。ＵＥ１０２のＩＳＲのアクティブ化は、ＵＥ１０２、ＳＧＳＮ１１４、ＭＭＥ１２３、およびＳＧＷ１２４を表すボックスの下に描写したそれぞれの「ＩＳＲ  ＡＣＴＩＶＡＴＥＤ」ボックスによって示されている（方法４００のステップの前）。
【００５０】
図４に示すように、ＵＥ１０２のＰＤＰコンテキストを変更するための方法４００は、４つのステップを含む。連続的に実行されるものとして本明細書に主に描写および記述したが、方法４００のステップは、同時かつ／または図４に提示したのとは異なる順序で実行できることに留意されたい。
【００５１】
ステップ４１０で、ＰＤＰコンテキスト変更要求（Modify PDP Context Request）メッセージがＵＥ１０２からＳＧＳＮ１１４に送信される。この場合、ＵＥ１０２は、ＵＥ１０２のＩＳＲのアクティブ化の前に、ＵＥ１０２に対して確立されたＰＤＰコンテキストの変更を要求している。図４に示すように、これにより、ＵＥ１０２でＵＥ１０２のＩＳＲが非アクティブ化される（ＰＤＰコンテキスト変更要求メッセージがＵＥ１０２からＳＧＳＮ１１４に送信された後、ＵＥ１０２に関連する「ＩＳＲ  ＤＥＡＣＴＩＶＡＴＥＤ」ボックスによって示されている）。
【００５２】
ステップ４２０で、ベアラ・リソース・コマンド（Bearer Resource Command）メッセージが、ＳＧＳＮ１１４からＳＧＷ１２４に送信される。ステップ４３０で、ＳＧＷ１２４は、ベアラ・リソース・コマンド・メッセージをＰＧＷ１２６（明瞭にするために省略）に転送する。
【００５３】
ステップ４４０で、ＳＧＳＮ１１４は、ＵＥ１０２にＰＤＰコンテキスト変更の受入れ（Modify PDP Context Accept）メッセージを送信する。
【００５４】
ＵＥ１０２とネットワークとの間のＥＰＳベアラの非同期化は、（たとえば、ＵＥ１０２による無線ベアラ確立の拒否によるサービス要求で）ＵＥ１０２がＥ−ＵＴＲＡＮ１２２にアクセスするときに再同期化されることに留意されたい。
【００５５】
図４に示すように、方法４００が完了した後に、ＵＥ１０２でＵＥ１０２のＩＳＲはアクティブではないが、ＳＧＳＮ１１４、ＭＭＥ１２３、およびＳＧＷ１２４のそれぞれでＵＥ１０２に対してアクティブなままである。これは、ＵＥ１０２に関連する「ＩＳＲ  ＤＥＡＣＴＩＶＡＴＥＤ」ボックスおよび（方法４００のステップの後の）ＳＧＳＮ１１４、ＭＭＥ１２３、およびＳＧＷ１２４に関連する「ＩＳＲ  ＡＣＴＩＶＡＴＥＤ」ボックスによってそれぞれ示されている。
【００５６】
したがって、図４は、ＵＥ１０２のＩＳＲステータスのネットワーク側処理により、（ＵＥ１０２のＩＳＲをアクティブ化する前の確立された）ＵＥ１０２のコンテキストが変更されるときに、ネットワーク・ノードにおいてＵＥ１０２のＩＳＲがアクティブ化された状態であることを保証する方法を示している。
【００５７】
方法４００は、ＵＥ１０２のコンテキストがＰＤＰコンテキストである場合に関して主に描写および記述しているが、方法４００は、また、ＵＥ１０２のコンテキストがＥＭＭコンテキストである場合にも使用できることに留意されたい。この場合、ＵＥ１０２は、ＭＭＥ１２３にベアラ更新要求（Update Bearer Request）メッセージを送信する（ＵＥ１０２のＩＳＲをアクティブ化する前に、ＵＥ１０２に対して確立されたＥＭＭコンテキストの変更を要求するため）。これにより、ＵＥ１０２でＵＥ１０２のＩＳＲが非アクティブ化される（ＰＤＰコンテキスト変更の場合に類似している）。この場合、ベアラ・リソース・コマンド・メッセージがＭＭＥ１２３からＳＧＷ１２４に送信され、ＳＧＷ１２４は、ＰＧＷ１２６にベアラ・リソース・コマンド・メッセージを転送する。この場合、ＭＭＥ１２３は、ＵＥ１０２にベアラ更新応答（Update Bearer Response）メッセージを送信する。ＥＭＭコンテキストの変更のこの流れは、ＰＤＰコンテキストの変更に対して図４に描写した流れに類似していることを理解されるであろう（ＰＤＰコンテキストに対してＳＧＳＮ１１４によって実行される機能は、ＥＭＭコンテキストに対してＭＭＥ１２３によって実行される）。この場合、ＳＧＳＮ１１４、ＭＭＥ１２３、およびＳＧＷ１２４のそれぞれでＵＥ１０２のＩＳＲはアクティブなままである。
【００５８】
図５は、無線アクセス技術間でＵＥを切り替えるための例示的な方法が実行されたときのＵＥのＩＳＲステータスのネットワーク側処理の一実施形態を示す図である。
【００５９】
図５に示すように、方法５００は、ＵＥ１０２がＥ−ＵＴＲＡＮアクセスからＧＥＲＡＮ／ＵＴＲＡＮアクセスに切り替える場合を描写している。
【００６０】
図５に示すように、方法５００は、ＵＥ１０２および特定のネットワーク・ノードを含む（説明のために、ＳＧＳＮ１１４、ＭＭＥ１２３、およびＳＧＷ１２４）。ＵＥ１０２、ＳＧＳＮ１１４、ＭＭＥ１２３、およびＳＧＷ１２４はそれぞれ、ＵＥ１０２のそれぞれのＩＳＲステータス・パラメータを維持し、ＩＳＲステータス・パラメータの値は、ＵＥ１０２、ＳＧＳＮ１１４、ＭＭＥ１２３、およびＳＧＷ１２４でＵＥ１０２のＩＳＲがアクティブかどうかに関してそれぞれ示している。
【００６１】
図５に示すように、ＵＥ１０２がＥ−ＵＴＲＡＮアクセスからＧＥＲＡＮ／ＵＴＲＡＮアクセスに切り替える方法５００は、５つのステップを含む。連続的に実行されるものとして本明細書に主に描写および記述したが、方法５００のステップは、同時にかつ／または図５に提示したのとは異なる順序で実行できることに留意されたい。
【００６２】
ステップ５１０で、ＵＥ１０２は、ＧＥＲＡＮ／ＵＴＲＡＮ１１２にアクセスし、ＧＥＲＡＮ／ＵＴＲＡＮ１１２を介してＳＧＳＮ１１４に登録する。ステップ５２０で、ＵＥ１０２は、ＧＥＲＡＮ／ＵＴＲＡＮ１１２を介するアクセスからＥ−ＵＴＲＡＮ１２２を介するアクセスに切り替え、Ｅ−ＵＴＲＡＮ１２２を介してＭＭＥ１２３に登録する。
【００６３】
図５に示すように、ステップ５１０および５２０の後に、ＵＥ１０２のＩＳＲがアクティブ化され、その結果、ＳＧＳＮ１１４、ＭＭＥ１２３、およびＳＧＷ１２４だけでなくＵＥ１０２でＵＥ１０２のＩＳＲがアクティブである。これは、ＵＥ１０２、ＳＧＳＮ１１４、ＭＭＥ１２３、およびＳＧＷ１２４を表すボックスの下にある「ＩＳＲ  ＡＣＴＩＶＡＴＥＤ」ボックスによってそれぞれ示している（方法５００のステップ５２０と５３０との間に描写）。
【００６４】
ステップ５３０で、第１のＥＭＭコンテキスト（ＥＭＭコンテキストＣ１と示す）が、ＵＥ１０２に対して確立される。ステップ５４０で、第２のＥＭＭコンテキスト（ＥＭＭコンテキストＣ２と示す）が、ＵＥ１０２に対して確立される。より少数または多数のＥＭＭコンテキストを確立できることに留意されたい。
【００６５】
ステップ５５０で、ＵＥ１０２は、Ｅ−ＵＴＲＡＮ１２２を介するアクセスからＧＥＲＡＮ／ＵＴＲＡＮ１１２を介するアクセスに切り替える（たとえば、ＧＥＲＡＮを介するアクセスのためのＡ／Ｇｂモード、またはＵＴＲＡＮを介するアクセスのためのｌｕモードに）。
【００６６】
図５に示すように、方法５００が完了した後に、ＵＥ１０２でＵＥ１０２のＩＳＲはアクティブではないが、ＳＧＳＮ１１４、ＭＭＥ１２３、およびＳＧＷ１２４のそれぞれでＵＥ１０２に対してアクティブなままである。これは、ＵＥ１０２に関連する「ＩＳＲ  ＤＥＡＣＴＩＶＡＴＥＤ」ボックス、ならびにＳＧＳＮ１１４、ＭＭＥ１２３、およびＳＧＷ１２４に関連する「ＩＳＲ  ＡＣＴＩＶＡＴＥＤ」ボックス（方法５００のステップの後）によってそれぞれ示している。
【００６７】
したがって、図５は、ＵＥ１０２のＩＳＲステータスのネットワーク側処理により、ＵＥ１０２が無線アクセス技術（ＲＡＴ）間で切り替える場合、ネットワーク・ノードにおいてＵＥ１０２のＩＳＲがアクティブ化された状態であることを保証する方法を示している。
【００６８】
方法５００は、ＵＥ１０２がＥ−ＵＴＲＡＮアクセスからＧＥＲＡＮＩＵＴＲＡＮアクセスに切り替える場合に関して主に描写および記述しているが、方法５００は、また、ＵＥ１０２がＧＥＲＡＮ／ＵＴＲＡＮアクセスからＥ−ＵＴＲＡＮアクセスに切り替える場合を表すように構成できることに留意されたい。この場合、ＳＧＳＮ１１４、ＭＭＥ１２３、およびＳＧＷ１２４のそれぞれで、ＵＥ１０２のＩＳＲはアクティブなままである。
【００６９】
図６は、ＵＥに関連する条件に応答して、ネットワーク・ノードでＵＥのＩＳＲステータスを処理するための方法の一実施形態を示す図である。
【００７０】
ステップ６１０で、方法６００が開始する。
【００７１】
ステップ６２０で、ＵＥに関連する条件が検出される。条件はネットワーク・ノードによって検出される（たとえば、１つまたは複数の他のノードからのメッセージ（複数可）の受信を介して直接的または間接的になど）。条件は、ＵＥのコンテキストの非アクティブ化、ＵＥのコンテキストの変更、アクセス・モード間のＵＥによる切替え（たとえばＲＡＴ間）などを含むことができる。
【００７２】
ステップ６３０で、ＵＥに関連する条件が検出された場合、ネットワーク・ノードのＵＥのＩＳＲステータスはアクティブ状態に維持される。言い換えると、ネットワーク・ノードによる条件の検出にかかわらず、ネットワーク・ノードのＵＥのＩＳＲステータスは、その現在の値から新しい値に変更されない（たとえばＡＣＴＩＶＡＴＥＤからＤＥＡＣＴＩＶＡＴＥＤ）。
【００７３】
ステップ６４０で、方法６００は終了する。
【００７４】
一実施形態では、ＵＥ１０２のＩＳＲステータス・パラメータをサポートするネットワーク・ノードは、ＵＥ１０２のＩＳＲの非アクティブ化が検出されるまで、（たとえば、ＵＥ１０２のＩＳＲステータス・パラメータの値をＡＣＴＩＶＡＴＥＤからＤＥＡＣＴＩＶＡＴＥＤに値を変更するのではなく、ＵＥ１０２のＩＳＲステータス・パラメータの値をＡＣＴＩＶＡＴＥＤとして維持することによって）ＵＥ１０２のＩＳＲステータスをアクティブ状態に維持するように構成されている（たとえば、ＵＥ１０２のＩＳＲの非アクティブ化が検出されるまで、ＵＥ１０２のＩＳＲステータスは継続的なアクティブ状態に維持される）。
【００７５】
本明細書に記述したように、特定のタイプの通信ネットワークにおけるネットワーク側ＩＳＲ処理をサポートするコンテキストについて、主に本明細書に描写および記述したが、ネットワーク側ＩＳＲ処理は、ＩＳＲ（またはＩＳＲのような機能）が使用される任意の適切なタイプのワイヤレス・ネットワークでサポートすることができる。したがって、本明細書における２Ｇ、３Ｇ、および４Ｇワイヤレス通信ネットワークに特有の言及は、他のタイプのワイヤレス通信ネットワークの同様の要素および機能を包含するものとして、より一般的に解釈することができる。たとえば、本明細書において、Ｅ−ＵＴＲＡＮおよびＵＴＲＡＮ／ＧＥＲＡＮのネットワークに特有の言及（たとえば要素、機能、メッセージ、パラメータなどに使用される特有の名前）は、他のタイプのワイヤレス通信ネットワークを包含するようにより一般的に解釈することができる（たとえば、異なる名前を同様の要素、機能、メッセージ、パラメータなどに使用することができる）。たとえば、本明細書におけるＵＥという言及は、ワイヤレス・ユーザ・デバイスまたは無線端末として、より一般的に解釈することができる。たとえば、本明細書における特定のネットワーク・ノード（たとえばＳＧＳＮ１１４、ＧＧＳＮ１１６、ＭＭＥ１２３、ＳＧＷ１２４、ＰＧＷ１２６、およびＰＤＮ１３０）の言及は、他のタイプのワイヤレス通信ネットワークにおいて同一または類似した機能をサポートする他のタイプのワイヤレス通信ネットワークのネットワーク・ノードを包含するものとして、より一般的に解釈することができる。たとえば、本明細書におけるＰＤＰおよびＥＭＭのコンテキストの言及は、コンテキストとしてより一般的に解釈することができる。たとえば、本明細書における特定のメッセージ（たとえば、ＰＤＰコンテキスト非アクティブ化要求／受入れメッセージ、セッション削除要求／応答メッセージ、ＰＤＰコンテキスト変更要求／受入れメッセージ、ベアラ・リソース・コマンド・メッセージなど）の言及は、より一般的に解釈することができる（たとえば、それぞれコンテキスト非アクティブ化の要求／受入れメッセージ、セッション削除の要求／応答メッセージ、コンテキスト変更の要求／受入れメッセージ、ベアラ・リソース・コマンド・メッセージなど）。当業者および本明細書で提供される教示によって情報を受けた者は、他のタイプのワイヤレス通信ネットワークにおけるネットワーク側ＩＳＲ処理機能の実施形態の使用をサポートする他のそのような一般化を認識するであろうことに留意されたい。
【００７６】
図７は、本明細書に記述した機能を実行する際に使用するのに適したコンピュータを示すハイレベル・ブロック図である。
【００７７】
コンピュータ７００は、プロセッサ要素７０２（たとえば中央制御装置（ＣＰＵ）および／または他の適切なプロセッサ（複数可））およびメモリ７０４（たとえばランダム・アクセス・メモリ（ＲＡＭ）、読取り専用メモリ（ＲＯＭ）など）を含む。プロセッサ要素７０２およびメモリ７０４は通信するように接続される。メモリ７０４は、プロセッサ要素７０２によって実行された場合、プロセッサ要素７０２が本明細書に描写および記述された各種機能を実行することを可能にする、または引き起こす命令をそこに格納することができる。主に単一のプロセッサ要素７０２および単一のメモリ７０４に関して描写および記述したが、本明細書に描写および記述した各種機能を提供するために、任意の適切な数のプロセッサ要素７０２およびメモリ７０４を使用できることに留意されたい。
【００７８】
コンピュータ７００は、また、協働するモジュール／プロセス７０５を含むことができる。協働するプロセス７０５は、メモリ７０４にロードし、本明細書に記述した機能を実装するためにプロセッサ７０２によって実行することができるため、協働するプロセス７０５（関連するデータ構造を含む）は、たとえばＲＡＭメモリ、磁気ドライブもしくは光ドライブまたはディスケットなど、コンピュータ可読記憶媒体に格納することができる。
【００７９】
コンピュータ７００は、また、様々な入力／出力デバイス７０６（たとえばユーザ入力デバイス（キーボード、キーパッド、マウスなど））、ユーザ出力デバイス（ディスプレイ、スピーカなど）、入力ポート、出力ポート、受信機、送信機、および記憶装置（たとえばテープ・ドライブ、フロッピー・ドライブ、ハード・ディスク・ドライブ、コンパクト・ディスク・ドライブなど））を含むことができる。
【００８０】
図７に描写したコンピュータ７００は、本明細書に記述した機能要素、および／または本明細書に記述した機能要素の部分を実装するのに適した一般的なアーキテクチャおよび機能を提供することを理解されるであろう。たとえば、コンピュータ７００は、１つまたは複数のＵＥ１０２、ＵＥ１０２の一部、ＧＥＲＡＮ／ＵＴＲＡＮ１１２の要素、ＧＥＲＡＮ／ＵＴＲＡＮ１１２の要素の一部、ＳＧＳＮ１１４、ＳＧＳＮ１１４の一部、ＧＧＳＮ１１６、ＧＧＳＮ１１６の一部、Ｅ−ＵＴＲＡＮ１２２の要素、Ｅ−ＵＴＲＡＮ１２２の要素の一部、ＭＭＥ１２３、ＭＭＥ１２３の一部、ＳＧＷ１２４、ＳＧＷ１２４の一部、ＰＧＷ１２６、およびＰＧＷ１２６の一部などを実装するのに適した一般的なアーキテクチャおよび機能を提供する。
【００８１】
本明細書に描写および記述した機能は、ソフトウェアで実装することができ（専用コンピュータを実装するためなど、（たとえば１つまたは複数のプロセッサによって実行して）汎用コンピュータで実行するために、１つまたは複数のプロセッサでのソフトウェアの実装を介して）、かつ／またはハードウェアで実装することができる（たとえば、汎用コンピュータ、１つまたは複数の特定用途向け集積回路（ＡＳＩＣ）、および／または他のハードウェア等価物を使用する）ことを理解されるであろう。
【００８２】
ソフトウェアによる方法として本明細書に記述したステップの一部は、たとえば、様々な方法のステップを実行するようにプロセッサと協働する回路として、ハードウェア内に実装できることが考えられる。本明細書に記述した機能／要素の一部は、コンピュータ・プログラム製品として実装することができ、コンピュータ命令は、コンピュータによって処理されたときに、コンピュータの動作を適応させて、本明細書に記述した方法および／または技術が呼び出されるか、そうでなければ提供される。本発明の方法を呼び出すための命令は、固定または取り外し可能な媒体に格納し、ブロードバンドまたは他の信号搬送媒体のデータ・ストリームを介して伝送され、かつ／または命令に従って動作するコンピューティング・デバイス内のメモリ内に格納することができる。
【００８３】
様々な実施形態の態様は、特許請求の範囲に規定されている。様々な実施形態のそれらおよび他の態様は、以下に示す番号を付した条項に規定されている。
【００８４】
１．プロセッサおよびプロセッサに通信するように接続されたメモリを備え、プロセッサは、ユーザ装置（ＵＥ）に関連する条件が検出されたときに、ネットワーク・ノードにおいてＵＥのアイドル状態シグナリング低減（ＩＳＲ）ステータスをアクティブ状態に維持するように構成されている、
装置。
【００８５】
２．条件は、ＵＥのコンテキストの非アクティブ化、ＵＥのコンテキストの変更、およびＵＥのアクセス・モードの切替えのうちの１つを含む条項１に記載の装置。
【００８６】
３．ＵＥのコンテキストは、パケット・データ・プロトコル（ＰＤＰ）コンテキストまたは進化型パケット・システム（ＥＰＳ）モビリティ管理（ＥＭＭ）コンテキストである条項２に記載の装置。
【００８７】
４．ＵＥのアクセス・モードの切替えは、
グローバル・システム・フォー・モバイル・コミュニケーションズ（ＧＳＭ）ＥＤＧＥ無線アクセス・ネットワーク（ＧＥＲＡＮ）アクセスまたはユニバーサル・モビリティ通信システム（ＵＭＴＳ）地上無線アクセス・ネットワーク（ＵＴＲＡＮ）アクセスと、
進化型地上無線アクセス・ネットワーク（Ｅ−ＵＴＲＡＮ）アクセスと
の間の切替え
を含む条項２に記載の装置。
【００８８】
５．ネットワーク・ノードは、サービング汎用パケット無線サービス（ＧＰＲＳ）サポート・ノード（ＳＧＳＮ）機能、モビリティ管理エンティティ（ＭＭＥ）機能、組み合わせられたＳＧＳＮ／ＭＭＥ機能、またはサービング・ゲートウェイ（ＳＧＷ）機能を含む条項１に記載の装置。
【００８９】
６．ネットワーク・ノードは、サービング汎用パケット無線サービス（ＧＰＲＳ）サポート・ノード（ＳＧＳＮ）であり、条件は、ＵＥのコンテキストの非アクティブ化を含み、プロセッサは、
ＵＥのコンテキストを非アクティブ化するＵＥの要求を受信し、
セッション削除要求メッセージにおいて「ＩＳＲ  Ｄｅａｃｔｉｖａｔｉｏｎ」パラメータを含まずに、セッション削除要求メッセージを生成するように構成されている、条項１に記載の装置。
【００９０】
７．プロセッサは、サービング・ゲートウェイ（ＳＧＷ）に向かってセッション削除要求メッセージを伝播するように構成されている、条項６に記載の装置。
【００９１】
８．プロセッサは、ＳＧＷからセッション削除応答メッセージを受信するように構成されている、条項７に記載の装置。
【００９２】
９．プロセッサは、
ＵＥのコンテキストを非アクティブ化するＵＥの要求に対する応答を生成し、
ＵＥに向かって応答を伝播するように構成されている条項７に記載の装置。
【００９３】
１０．ネットワーク・ノードは、サービング・ゲートウェイ（ＳＧＷ）であり、条件は、ＵＥのコンテキストの非アクティブ化を含み、プロセッサは、
サービング汎用パケット無線サービス（ＧＰＲＳ）サポート・ノード（ＳＧＳＮ）からセッション削除要求メッセージを受信し、
セッション削除要求メッセージが「ＩＳＲ  Ｄｅａｃｔｉｖａｔｉｏｎ」パラメータを含んでいないという決定に応答して、ネットワーク・ノードでＵＥのＩＳＲステータスをアクティブ状態に維持するように構成されている、条項１に記載の装置。
【００９４】
１１．プロセッサは、ＳＧＳＮに向かってセッション削除応答メッセージを伝播するように構成されている、条項１０に記載の装置。
【００９５】
１２．プロセッサは、パケット・データ・ネットワーク（ＰＤＮ）ゲートウェイ（ＰＧＷ）に向かってセッション削除要求メッセージを伝播するように構成されている、条項１０に記載の装置。
【００９６】
１３．ネットワーク・ノードは、サービング汎用パケット無線サービス（ＧＰＲＳ）サポート・ノード（ＳＧＳＮ）またはモビリティ管理エンティティ（ＭＭＥ）であり、条件は、ＵＥのコンテキストの変更を含み、プロセッサは、
ＵＥのコンテキストを変更するためにＵＥの要求を受信し、
ベアラ・リソース・コマンド・メッセージにおいて「ＩＳＲ  Ｄｅａｃｔｉｖａｔｉｏｎ」パラメータを含まずに、ベアラ・リソース・コマンド・メッセージを生成するように構成されている、条項１に記載の装置。
【００９７】
１４．プロセッサは、サービング・ゲートウェイ（ＳＧＷ）に向かってベアラ・リソース・コマンド・メッセージを伝播するように構成されている、条項１３に記載の装置。
【００９８】
１５．プロセッサは、
ＵＥのコンテキストを変更するＵＥの要求に対する応答を生成し、
ＵＥに向かって応答を伝播するように構成されている、条項１３に記載の装置。
【００９９】
１６．ＵＥのコンテキストは、ＵＥによってＩＳＲのアクティブ化の前に確立された条項１３に記載の装置。
【０１００】
１７．ネットワーク・ノードは、サービング・ゲートウェイ（ＳＧＷ）であり、条件は、ＵＥのコンテキストの変更を含み、プロセッサは、
サービング汎用パケット無線サービス（ＧＰＲＳ）サポート・ノード（ＳＧＳＮ）またはモビリティ管理エンティティ（ＭＭＥ）からベアラ・リソース・コマンド・メッセージを受信し、
ベアラ・リソース・コマンド・メッセージが「ＩＳＲ  Ｄｅａｃｔｉｖａｔｉｏｎ」パラメータを含んでいないという決定に応答して、ネットワーク・ノードにおいてＵＥのＩＳＲステータスをアクティブ状態に維持するように構成されている、条項１に記載の装置。
【０１０１】
１８．プロセッサは、パケット・データ・ネットワーク（ＰＤＮ）ゲートウェイ（ＰＧＷ）に向かってベアラ・リソース・コマンド・メッセージを伝播するように構成されている、条項１７に記載の装置。
【０１０２】
１９．プロセッサおよびプロセッサに通信するように接続されたメモリを備え、プロセッサは、ＵＥに関連する条件に応答して、ネットワーク・ノードにおいてユーザ装置（ＵＥ）のアイドル状態シグナリング低減（ＩＳＲ）ステータスをアクティブ状態に維持するように構成されている、ネットワーク・ノード。
【０１０３】
２０．命令を格納するコンピュータ可読記憶媒体であって、命令は、コンピュータによって実行された場合、コンピュータに方法を実行させ、方法は、
ユーザ装置（ＵＥ）に関連する条件が検出されたときに、ネットワーク・ノードにおいてＵＥのアイドル状態シグナリング低減（ＩＳＲ）ステータスをアクティブ状態に維持するステップ
を含むコンピュータ可読記憶媒体。
【０１０４】
２１．プロセッサおよびメモリを使用して、ユーザ装置（ＵＥ）に関連する条件が検出されたときに、ネットワーク・ノードにおいてＵＥのアイドル状態シグナリング低減（ＩＳＲ）ステータスをアクティブ状態に維持するステップ
を含む方法。
【０１０５】
本発明の教示を組み込んだ様々な実施形態について本明細書に示し、詳細に記述したが、当業者なら、これらの教示を組み込んだ他の多数の様々な実施形態を容易に考案することができる。
【図１】
2014522149.tif 000003
【図２】
2014522149.tif 000004
【図３】
2014522149.tif 000005
【図４】
2014522149.tif 000006
【図５】
2014522149.tif 000007
【図６】
2014522149.tif 000008
【図７】
2014522149.tif 000009
【国際調査報告】
2014522149.tif 000010
2014522149.tif 000011